(57)【特許請求の範囲】
【請求項１】
接続対象物に接触する端子と、端子の一端側が固定されたコネクタ本体とを備え、端子の他端側にはコネクタ本体の所定の面から外部に突出する接触部を設け、接続対象物が端子の接触部に接触すると、端子を弾性変形させるようにしたコネクタにおいて、
前記端子を、接続対象物が端子の接触部に接触すると、接触部を含む端子の一部が接続対象物との接触方向に直交する方向に弾性変形して端子の他の部分に係止した後に、端子の他の部分が前記方向とは逆の方向に弾性変形するように形成した
ことを特徴とするコネクタ。
【請求項２】
前記端子を、端子の一部の先端が前記端子の他の部分に係止するように形成した
ことを特徴とする請求項１記載のコネクタ。
【発明の詳細な説明】
【技術分野】
【０００１】
本発明は、携帯電話、デジタルカメラ、またはＰＤＡ（Ｐｅｒｓｏｎａｌ  Ｄｉｇｉｔａｌ  Ａｓｓｉｓｔａｎｃｅ）等の携帯機器に設けられた基板とバッテリー等の接続対象物とを接続するためのコネクタに関するものである。
【背景技術】
【０００２】
従来、この種のコネクタとしては、接続対象物に接触する端子と、端子の一端側が固定されたコネクタ本体とを備え、端子の他端側にはコネクタ本体の所定の面から外部に突出する接触部を設け、接続対象物が端子の接触部に接触すると、端子を弾性変形させるようにしたものが知られている（例えば特許文献１参照）。
【０００３】
また、図５に示す第１の従来例のように、コネクタ本体１と、一端側がコネクタ本体１に固定され、他端側を一端側に対して略く字状に形成した複数の端子２とを備え、接続対象物としてのバッテリー４の導電部４ａを各端子２の接触部２ｂに接触するようにしたコネクタが知られている。各端子２には、コネクタ本体１の前方または下方に向かって屈曲する複数の屈曲部２ａが設けられており、各端子２は、バッテリー４の導電部４ａとの接触に応じて各屈曲部２ａを基点として下方及び後方に弾性変形する。しかしながら、このコネクタでは、バッテリー４をコネクタ本体１まで移動させると、一点鎖線に示すように端子２の他端側が大きく変形し易くなる。この場合、端子２には、下方に変位量Ａの位置ずれが生じ、バッテリー４の導電部４ａと端子２の接触部２ｂとを接触させることができない。これに対応するには、端子２の変位量に応じてバッテリー４の導電部４ａを拡大させる必要があるため、機器の小型化の要請に応えられないという問題点があった。
【０００４】
そこで、図６に示す第２の従来例のように、コネクタ本体１の前方または下方に向かって屈曲する複数の屈曲部３ａと、上方に向かって屈曲する接触部３ｂとを設けた端子３を備えたコネクタが知られている。このコネクタは、接触部３ｂが図５に示した従来例よりも上方に配置されているので、バッテリー４をコネクタ本体１まで移動させたときに、一点鎖線に示すように下方に変位量Ａの位置ずれが端子３に生じた場合でも、端子３の接触部３ｂとバッテリー４の導電部４ａとを接触させることができる。
【特許文献１】特開２００４−２６５５９８号公報
【発明の開示】
【発明が解決しようとする課題】
【０００５】
しかしながら、このコネクタでは、端子３が一点鎖線に示すように弾性変形している場合に、端子３の上方への復元に基づく負荷が真直部３ｃに集中して加わることにより、真直部３ｃが塑性変形して端子３の接触部３ｂとバッテリー４の導電部４ａとが接触不良になるという問題点があった。
【０００６】
本発明は前記問題点に鑑みてなされたものであり、その目的とするところは、接続対象物との接触により生じる端子の変位量を小さくするとともに、端子の一部に加わる負荷を低減することの可能なコネクタを提供することにある。
【課題を解決するための手段】
【０００７】
本発明は、前記目的を達成するために、接続対象物に接触する端子と、端子の一端側が固定されたコネクタ本体とを備え、端子の他端側にはコネクタ本体の所定の面から外部に突出する接触部を設け、接続対象物が端子の接触部に接触すると、端子を弾性変形させるようにしたコネクタにおいて、前記端子を、接続対象物が端子の接触部に接触すると、接触部を含む端子の一部が接続対象物との接触方向に直交する方向に弾性変形して端子の他の部分に係止した後に、端子の他の部分が前記方向とは逆の方向に弾性変形するように形成している。
【０００８】
これにより、接触部を含む端子の一部に対して端子の他の部分が逆の方向に変位するので、端子が接続対象物との接触方向に直交する一方向のみに弾性変形する場合よりも端子の変位量が小さくなる。また、接触部を含む端子の一部と端子の他の部分には、それぞれ互いに逆方向への復元力に基づく負荷が加わるので、端子が接続対象物との接触方向に直交する一方向のみに復元する場合よりも端子の一部に加わる負荷が小さくなる。
【発明の効果】
【０００９】
本発明によれば、接続対象物との接触により生じる端子の変位量を小さくすることができるので、バッテリー等の接続対象物の小型化に対応してコネクタを小型化することができる。また、端子の一部に加わる負荷を小さくすることができるので、端子の一部が塑性変形することにより端子と接続対象物とが接触不良になることを確実に防止することができる。
【発明を実施するための最良の形態】
【００１０】
図１乃至図４は本発明の一実施形態を示すもので、図１はコネクタの斜視図、図２はコネクタの側面断面図、図３及び図４はコネクタの動作を示す側面断面図である。
【００１１】
このコネクタは、絶縁性のコネクタ本体１０と、コネクタ本体１０に保持された複数の端子２０とからなり、各端子２０は接続対象物としてのバッテリー４０の導電部４０ａと接触するようになっている。
【００１２】
コネクタ本体１０は合成樹脂の成形品からなり、各端子２０が配置される複数の端子孔１１を幅方向に間隔をおいて有している。コネクタ本体１０は、前面に前面壁１２が形成され，上面に上面壁１３が形成されている。各端子孔１１は、コネクタ本体の前面に開口しており、その上方はコネクタ本体１０の前面壁１２及び上面壁１３によって囲まれている。また、コネクタ本体１０内には、各端子孔１１の幅方向に間隔をおいて対向する一対の端子保持部（図示省略）が設けられており、各端子保持部間に端子２０の前端側を後方から圧入することにより、端子２０がコネクタ本体１０に保持されるようになっている。また、前面壁１２において、各端子孔１１の幅方向両端側には、バッテリー４０の各端子２０との接触方向への移動を規制するための一対の係止片１２ａがそれぞれ前方に延出するように設けられている。
【００１３】
各端子２０は、略Ｓ字状に屈曲するように形成された弾性変形可能な導電性の金属板からなり、その一端側はコネクタ本体１０に固定されている。端子２０は、コネクタ本体１０の上下方向に延びる第１の真直部２１と、第１の真直部２１の上端から前方に向かって屈曲する第１の屈曲部２２と、第１の屈曲部２２から前方に向かって延びる第２の真直部２３と、第２の真直部２３の前端から下方に向かって屈曲する第２の屈曲部２４と、第２の屈曲部２４から下方に向かって延びる第３の真直部２５と、第３の真直部２５の下端から前方に屈曲する第３の屈曲部２６と、第３の屈曲部２６から斜め下方に延びる第４の真直部２７と、第４の真直部２７の下端から上方に屈曲する第４の屈曲部２８と、第４の屈曲部２８から前方に突出するように屈曲する接触部２９と、接触部２９から後方に延びる先端部３０とから形成されている。また、先端部３０の先端３０ａと第３の真直部２５との間には、所定の間隙が設けられている。
【００１４】
また、端子２０の一端側には、第１の真直部２１の下端から後方に屈曲する第５の屈曲部３１と、第５の屈曲部３１から後方に延びる接続部３２とが設けられており、接続部２９は基板１００に接続される。なお、端子２０の第１の真直部２１、第１の屈曲部２２、第２の真直部２３、第２の屈曲部２４、第３の真直部２５、第５の屈曲部３１及び接続部３２は、本願請求項でいう端子の他の部分を構成しており、第３の屈曲部２６、第４の真直部２７、第４の屈曲部２８、接触部２９及び先端部３０は、本願請求項でいう端子の一部を構成している。
【００１５】
以上のように構成されたコネクタは、例えば携帯電話等の携帯機器におけるバッテリー収納部の基板に取り付けられる。コネクタ本体１０の前方に位置するバッテリー４０が後方に向かって接触部２９に接触した場合には、端子２０は、図３の一点鎖線に示すように第３の屈曲部２６を基点に上方に弾性変形するとともに、第４の屈曲部２８を基点に後方に弾性変形する。この際、接触部２９はバッテリー４０の導電部４０ａに接触しながら後方に移動するとともに、上方に変位量Ａ１だけ移動する。そして、先端部３０の先端３０ａが第３の真直部２５の前面に係止すると、各屈曲部２６，２８の弾性変形が規制される。さらに、バッテリー４０が後方に向かって移動した場合には、端子２０は、図４の一点鎖線に示すように先端部３０の先端３０ａが第３の真直部２５の前面に係止した状態で、第１の屈曲部２２を基点に下方に弾性変形するとともに、第２の屈曲部２４を基点に後方に弾性変形する。そして、バッテリー４０がコネクタ本体１０の各係止片１２ａに係止するまで後方に移動したときには、端子２０の接触部２９は後方に移動するとともに、下方に変位量Ａ２だけ移動する。これにより、バッテリー４０が端子２０に接触してからコネクタ本体１０の各係止片１２ａに係止するまでに端子２０が下方に変位した量はＡ２−Ａ１となり、この変位量は前記従来例の変位量Ａに比べて明らかに小さくなる。また、端子２０の第４の真直部２７に加えられる第１の屈曲部２２及び第２の屈曲部２４からの上方及び前方への復元力に基づく負荷は、第３の屈曲部２６の下方への復元力と、第４の屈曲部２８の前方への復元力によって低減される。
【００１６】
このように、本実施形態のコネクタによれば、端子２０を、バッテリー４０の導電部４ａが端子２０の接触部２９に接触すると、端子２０の一部（第３の屈曲部２６）が上方に弾性変形し、端子２０の他の部分（第１の屈曲部２２）が下方に弾性変形するように形成したので、端子２０が上方または下方のうち何れか一方向のみに弾性変形する場合よりも端子２０の変位量を小さくすることができるとともに、端子２０の一部に加わる負荷が、端子２０が上方または下方のうち何れか一方向のみに復元する場合よりも小さくなる。従って、小型のバッテリー等のようにコネクタとの接触部の小さい接続対象物との接続に極めて有利であるとともに、端子２０が塑性変形することによりバッテリー４０と端子２０とが接触不良になることを確実に防止することができる。
【００１７】
また、端子２０を、端子２０の先端３０ａが端子２０の第３の真直部２５に係止した後に、端子２０の他の部分（第１の屈曲部２２）が下方に弾性変形するように形成したので、接触部２９を含む端子２０の一部が係止した状態で端子２０を下方に弾性変形させることができ、バッテリー４０の移動中にバッテリー４０の導電部４０ａと端子２０の接触部２９との間に位置ずれが生じるのを確実に防止することができる。
【００１８】
さらに、端子２０を、端子２０の先端３０ａが端子２０の第３の真直部２５に係止するように形成したので、先端３０ａの係止に伴って第３の屈曲部２６及び第４の屈曲部２８の弾性変形を規制することができ、端子２０の一部が上方に弾性変形するのを確実に規制することができる。
【００１９】
なお、前記実施形態では、端子２０の一部が上方に弾性変形した後に端子２０の他の部分が下方に弾性変形するように形成したものを示したが、端子２０の一部が下方に弾性変形した後に端子２０の他の部分が上方に弾性変形するように形成してもよい。
【００２０】
また、前記実施形態では、端子２０の先端３０ａが第３の真直部２５に係止した後に端子２０の他の部分が下方に弾性変形するように形成したものを示したが、端子２０の一部を上方に弾性変形すると同時に端子２０の他の部分を下方に弾性変形するように形成してもよい。
【図面の簡単な説明】
【００２１】
【図１】本発明の一実施形態によるコネクタの斜視図
【図２】コネクタの側面断面図
【図３】コネクタの動作を示す側面断面図
【図４】コネクタの動作を示す側面断面図
【図５】第１の従来例を示すコネクタの側面断面図
【図６】第２の従来例を示すコネクタの側面断面図
【符号の説明】
【００２２】
１０…コネクタ本体、１２…前面壁、２０…端子、２５…第３の真直部、２９…接触部、３０…先端部、３０ａ…先端、４０…バッテリー。
【図１】
0004684092.tif 000002
【図２】
0004684092.tif 000003
【図３】
0004684092.tif 000004
【図４】
0004684092.tif 000005
【図５】
0004684092.tif 000006
【図６】
0004684092.tif 000007